(57)【要約】【課題】点灯及び点滅の繰り返しを短時間に行うことができ、ショートもなくなり寿命を長くでき、集魚に適した白色光を得ることができ発光効率も高くなる集魚灯装置を提供する。【解決手段】発電機１１の電力が、安定器２０を介して、ソケット３０に取り付けたランプ４０を構成する集魚灯１２を点灯する集魚灯装置において、ランプ４０は、硬質ガラスからなるランプ本体４２の内部に支持部４７を介してショートアーク型の小型放電ランプ４１が収納され、支持部４７の小型放電ランプ４１の取付け部分及び口金部側のランプ側接触端子５１に導通される導線部分にはガラス管４９，５０が設けられ、ソケット３０のソケット側接触端子３３及び受金３５近傍の空間にはシリコン材３７が充填されている。【選択図】　　　図１
2004063362.tif 000002
【特許請求の範囲】
【請求項１】
発電機で発電した電力が、安定器本体側回路及び瞬時再点灯回路を有する安定器を介して、ソケットに取り付けたランプを構成する集魚灯を点灯する集魚灯装置において、
前記ランプは、硬質ガラスからなるランプ本体の内部に支持部を介してショートアーク型の小型放電ランプが収納されるとともに、該支持部の小型放電ランプの取付け部分及び口金部側のランプ側接触端子に導通される導線部分にはガラス管が設けられ、前記ソケットのソケット側接触端子及び受金近傍の空間にはシリコン材が充填されていることを特徴とする集魚灯装置。
【請求項２】
前記ランプ本体の口金部は、絶縁部を介した口金とランプ側接触端子との間の距離が１３ｍｍ以上であることを特徴とする請求項１記載の集魚灯装置。
【発明の詳細な説明】
【０００１】
【発明の属する技術分野】
本発明は、さんま等の魚を捕獲するための漁船に使用される集魚灯装置に関するものである。
【０００２】
【従来の技術】
従来、さんま漁等においては、漁船の周囲から海上に向けて突出された複数本の棒状灯具に集魚灯を多数個取り付け、それらの集魚灯を点灯及び点滅を繰り返すことにより、網にさんまを集めて捕獲する方法が採用されている。このような集魚灯としては、例えば、５００〜７５０Ｗ（ワット）程度のフィラメントランプによる白熱電球、あるいはランプ内にフィラメント・ハロゲンランプを内蔵したものが一般的に使用されており、一隻の漁船に２０〜３０本程度の棒状灯具に、それぞれ２０個程度が取付けられている。
【０００３】
【発明が解決しようとする課題】
しかしながら、従来の白熱電球やフィラメント・ハロゲンランプを使用した集魚灯では、寿命や照度の低下の点で問題があり、操業中に不点灯が発生したり、照度不足が生じるおそれがあり、そのため交換頻度が多くなるとともに、新しい予備の集魚灯を多数個備えておかなければならなかった。また、従来の多数個の白熱電球やフィラメント・ハロゲンランプを点灯させるには、大容量の発電機を稼働させる必要があった。さらに、さんまの集魚には、昼間の太陽光に近い白色光であることが好ましいが、従来の白熱電球やフィラメント・ハロゲンランプは、やや黄色味の発光色であった。
【０００４】
これに対して、集魚灯としてメタルハライドランプ等の小型放電ランプを使用することが検討されているが、この種の小型放電ランプは、消灯後の再点灯に時間が掛かるとともに、点灯のために、例えば、２万ボルト程度の高パルス電圧を印加するため、ランプの口金やソケットにおいてショート（短絡）が生じやすくなる問題点があった。
【０００５】
本発明は上記事情に鑑みなされたもので、点灯及び点滅の繰り返しを短時間に行うことができ、ショートもなくなり寿命を長くできるとともに、集魚に適した白色光を得ることができ発光効率も高くなる集魚灯装置を提供することを目的とする。
【０００６】
【課題を解決するための手段】
上記目的を達成するために請求項１に記載の発明にあっては、発電機で発電した電力が、安定器本体側回路及び瞬時再点灯回路を有する安定器を介して、ソケットに取り付けたランプを構成する集魚灯を点灯する集魚灯装置において、前記ランプは、硬質ガラスからなるランプ本体の内部に支持部を介してショートアーク型の小型放電ランプが収納されるとともに、該支持部の小型放電ランプの取付け部分及び口金部側のランプ側接触端子に導通される導線部分にはガラス管が設けられ、前記ソケットのソケット側接触端子及び受金近傍の空間にはシリコン材が充填されていることを特徴とするものである。点灯及び点滅の繰り返しを短時間に行うことができ、ショートもなくなり寿命を長くできるとともに、集魚に適した白色光を得ることができ発光効率も高くなる。
【０００７】
請求項２に記載の発明にあっては、前記ランプ本体の口金部は、絶縁部を介した口金とランプ側接触端子との間の距離が１３ｍｍ以上であることを特徴とするものである。口金とランプ側接触端子との間の距離が１３ｍｍ以上にすることで絶縁性を向上してランプ寿命を長くできる。
【０００８】
【発明の実施の形態】
以下、本発明を図示の一実施形態により具体的に説明する。図１〜図４は本発明実施形態の集魚灯装置を説明する図であり、図１は集魚灯装置の構成を説明する図、図２はランプの断面図、図３はソケットの断面図、図４は集魚灯の点灯状態を説明する図である。
【０００９】
これらの図において、本実施形態の集魚灯装置１０は、発電機１１で発電した電力が安定器２０を介して集魚灯１２を構成するソケット３０に取り付けたランプ４０に供給されて点灯するように構成されている。なお、図１に示す回路は、１個の集魚灯１２を点灯する回路であり、集魚灯１２の数と同数の回路が発電機１１に並列に接続される。
【００１０】
安定器２０は、安定器本体側回路１４と瞬時再点灯回路１５とから構成されている。安定器本体側回路１４は、発電機１１にブレーカ２１を介して接続され磁気飽和特性を改善するとともに、電流波形を正弦波に近づけるように改善したトランス２２と、このトランス２２の電源線に直列に接続されたコンデンサ２３及びこのコンデンサ２３に並列に接続された抵抗器２４とから進相型回路に構成されている。瞬時再点灯回路１５は、タイマー回路２５と、リレー２６と、高圧パルス発生回路２７と、ランプ電圧検出回路２８と、高周波トランス２９等とから構成されている。タイマー回路２５は、トランス２２から電源電圧が印加されたとき、例えば、１０秒程度の一定時間スイッチがオンする回路であり、このスイッチがリレー２６の励磁コイルに接続されている。このタイマー回路２５の一定時間は、少なくとも集魚灯１２を点灯するために必要な時間である。高圧パルス発生回路２７は、リレー２６がオンして電源電圧が印加されたときに、高圧パルスを発生する回路であり、この高圧パルスは、電源線に接続された高周波トランス２９の入力側に印加されるよう接続されている。ランプ電圧検出回路２８は、リレー２６がオンして電源電圧が印加されたときに、集魚灯１２に印加される電圧を検出し、一定の点灯電圧を検出することでスイッチがオンする回路であり、このスイッチがリレー２６の励磁コイルに直列に接続されている。なお、本出願人は、同様の安定器２０に関する技術を特開平９−３０６２２６号公報に開示している。
【００１１】
ソケット３０は、碍子と同様に絶縁性材料からなる有底円筒ケース状に形成されたソケット本体３１と、このソケット本体３１内の底部中央に形成された孔３２に取付けられたソケット側接触端子３３と、このソケット側接触端子３２に導通されソケット本体３１の底面に突出された接続端子３４と、ソケット本体３１の内壁に設けられたねじに形成された受金３５と、この受金３５に導通されソケット本体３１の底面に突出された接続端子３６等とを備えており、かつソケット本体３１内の底側のソケット側接触端子３３及び受金３５近傍の空間には、それぞれの間の絶縁性を良好にするための、例えば、シリコン材３７等が充填されている。接続端子３４，３６は、それぞれ瞬時再点灯回路１５の出力端子に接続されるようになっている。
【００１２】
ランプ４０は、メタルハライドランプ等の小型放電ランプ４１を内部に収納したランプ本体４２の一方の端部側に、ソケット３０に取付けるための口金部４３が形成されたものである。小型放電ランプ４１は、例えば、２５０〜３００Ｗ程度で白色光に点灯するショートアーク型のメタルハライドランプであり、点灯部４４の両端部に碍子を介して端子４５，４６が設けられたものである。ランプ本体４２は、例えば、硬質ガラスからなる最大外径が１００〜１３０ｍｍ程度の管状体で、口金部４３側及びその反対側の端部が括れた形状に形成され、その内部に小型放電ランプ４１が支持部４７を介して取付けられている。支持部４７は、小型放電管ランプ４１をランプ本体４２内のほぼ中央部に配置するために、導線からなる金属線により縦長の枠状に形成され、一方の口金部４３側は受部５４を通して設けられた導線５６に接続され、他方の端部側はランプ本体４２の括れた内面に当接される板状の支え部５５，５５が取付けられている。この支持部４７の中央部には、小型放電ランプ４１の点灯部４４の両端部において帯状に形成された金属性の支持板４８，４８により取付けられ、かつこれら支持板４８，４８は、支持部４７の導線に絶縁のためにガラス管４９，４９を設けた周囲に取付けられている。小型放電ランプ４１の一方の端子４５は、支持部４７の導線に接続され、他方の端子４６は受部５４を通して設けられたガラス管５０を設けた導線５７に接続されている。口金部４３は、ランプ本体４２の受部５４が形成された部分に設けられ、端部側の中央に設けられ導線５７に接続されてソケット側接触端子３３に当接されるランプ側接触端子５１と、導線５６に接続されて受金３５に装着されるねじに形成された口金５２と、ランプ側接触端子５１及び導線５７と口金５２及び導線５６との間を電気的に遮断するための絶縁部５３とから構成されている。この絶縁部５３による絶縁性を良好にするために、ランプ側接触端子５３と口金５２との間の距離（ａ）が、例えば、１３ｍｍ以上、好ましくは、１５ｍｍ程度の距離であることが望ましい。
【００１３】
上記構成の集魚灯装置１０では、ソケット３０にランプ４０を装着した集魚灯１２を漁船に設けられた棒状灯具に多数個取付け、それぞれの集魚灯１２を安定器２０の瞬時再点灯回路１５の出力端子に接続する。点灯を開始するには、まず、発電機１１を始動してブレーカ２１を入れると、安定器本体側回路１４のトランス２２で変圧された電源電圧が瞬時再点灯回路１５に印加され、タイマー回路２５が作動してリレー２６がオンとなり、高圧パルス発生回路２７から発生した高圧パルスが高周波トランス２９を介して集魚灯１２に印加されて点灯が開始する。同時にリレー２６がオンすると、ランプ電圧検出回路２８が作動し、集魚灯１２に印加される電圧を検出し、点灯電圧を検出したときに、リレー２６をオフする。また、集魚灯１２が点灯しないときには、タイマー回路２５で設定された１０秒後にリレー２６がオフになり、高圧回路発生回路２７とランプ電圧検出回路２８の動作が停止する。もし、集魚灯１２に異常が発生し消灯したときには、リレー２６のオフ状態が維持される。安定器本体側回路１４は、進相回路を構成し、入力電圧波形及び入力電流波形の位相が一致し、始動時の入力電流が点灯中より少なくなるため、効率が良く発電機１１への対応が優れ、その容量も大きくする必要がなく、安定器短絡電流とランプ電流との差が少ないため集魚灯１２の寿命が長くなる。また、瞬時再点灯回路１５は、タイマー回路２５と、ランプ電圧検出回路２８との併用により、高圧パルス発生回路２７から集魚灯１２に印加する高圧パルスをオフしているため、集魚灯１２異常でもオフし、タイマー回路２５の故障で損傷することがない。集魚灯１２の点灯特性を測定したところ、図４に示すように、１０秒程度の時間で相対光束が１００％に達していることが確認された。
【００１４】
また、集魚灯１２は、そのソケット３０を、ソケット側接触端子３３及び受金３５近傍の空間にシリコン材３７を充填して絶縁性を良好にし、かつランプ本体４２内部に、縦長の枠状に形成された支持部４７によりガラス管４９，４９を介して取付け、またガラス管５０を設けた導線５７で支持部４７との間の絶縁性を向上させ、さらに口金部４３ではランプ側接触端子５３と口金５２との間の距離を短絡を生じない程度の十分な１３〜１５ｍｍ程度の距離を設けているため、ソケット３０及びランプ４０のがショートが生じない構造になっているため、寿命を長くすることができる。
【００１５】
なお、上記実施形態において、ソケット３０及びランプ４０の形状は、一例であり実施例に限定されない。また、メタルハライドランプを使用した例を説明したが、その他のショートアーク型の小型放電ランプを使用することができる。
【００１６】
【発明の効果】
以上説明したように本発明の集魚灯装置は、発電機で発電した電力が、安定器本体側回路及び瞬時再点灯回路を有する安定器を介して、ソケットに取り付けたランプを構成する集魚灯を点灯する集魚灯装置において、ランプは、硬質ガラスからなるランプ本体の内部に支持部を介してショートアーク型の小型放電ランプが収納されるとともに、支持部の小型放電ランプの部分及び口金部側のランプ側接触端子に導通される導線部分にはガラス管が設けられ、ソケットのソケット側接触端子及び受金近傍の空間にはシリコン材が充填されていることで、点灯及び点滅の繰り返しを短時間に行うことができ、ショートもなくなり寿命を長くできるとともに、集魚に適した白色光を得ることができ発光効率も高くなる。
【図面の簡単な説明】
【図１】本発明実施形態の集魚灯装置の構成を説明する図である。
【図２】本発明実施形態のランプの断面図である。
【図３】本発明実施形態のソケットの断面図である。
【図４】本発明実施形態の集魚灯の点灯状態を説明する図である。
【符号の説明】
１０　集魚灯装置
１１　発電機
１２　集魚灯
１４　安定器本体側回路
１５　瞬時再点灯回路
２０　安定器
２１　ブレーカ
２２　トランス
２３　コンデンサ
２４　抵抗器
２５　タイマー回路
２６　リレー
２７　高圧パルス発生回路
２８　ランプ電圧検出回路
２９　高周波トランス
３０　ソケット
３１　ソケット本体
３２　孔
３３　ソケット側接触端子
３４　接続端子
３５　受金
３６　接続端子
３７　シリコン材
４０　ランプ
４１　小型放電ランプ
４２　ランプ本体
４３　口金部
４４　点灯部
４５，４６　端子
４７　支持部
４８　支持板
４９　ガラス管
５０　ガラス管
５１　ランプ側接触端子
５２　口金
５３　ランプ側接触端子
５４　受部
５５　板状の支え部
５６　導線
５７　導線
【図１】
2004063362.tif 000003
【図２】
2004063362.tif 000004
【図３】
2004063362.tif 000005
【図４】
2004063362.tif 000006